(57)【要約】【課題】  デザイン性を高めるとともに、装飾体の立体的な取り付けを可能とし、装飾体の着脱が容易な乳幼児用スタイを提供する。【解決手段】  乳幼児の首から吊り下げるようにして着用される乳幼児用スタイ１００において、スタイ本体部１１０と、スタイ本体部１１０から延設された２片の首掛け部１２０と、２片の襟部１３０と、装飾体である疑似ネクタイ１４０、ポケット部１５０、疑似チーフ１６０を備える。スタイ本体部１１０と首掛け部１２０と襟部１３０は一枚の生地から一体に型抜きされたものを用いて製作する。襟部１３０は、折り返し箇所から外側縁の一部のみをスタイ本体部に縫製し、襟部の内側縁から下頂端および外側縁の一部にかけて縫製せず、当該未縫製部分を開口とする袋状体となっており、開口が幅広に確保される。内部の留め具１４２に対して、疑似ネクタイ１４０を連結して取り付けを可能とする。疑似チーフ１６０もポケット部１５０に装着する。【選択図】  図５
2017020137.tif 000002
【特許請求の範囲】
【請求項１】
乳幼児の首から吊り下げるようにして着用される乳幼児用スタイにおいて、
スタイ本体部と、
前記スタイ本体部から延設された前記乳幼児の首に掛ける２片の首掛け部と、
前記スタイ本体部から延設され、前記乳幼児の首付近に位置する箇所を折り返して設けた２片の襟部であって、前記折り返し箇所から前記襟部の外側縁の一部のみをスタイ本体部に縫製し、前記襟部の外側縁の他部および内側縁にかけて縫製せず、当該未縫製部分を開口とする袋状体とした襟部と、
前記襟部の前記袋状体となっている内部に設けた連結部材留め具と、
前記連結部材留め具と連結可能な連結部材を備えた装飾体を備えた乳幼児用スタイ。
【請求項２】
前記未縫製部分が、前記襟部の内側縁全体から前記襟部の下頂部さらに前記襟部の外側縁の一部にまで及ぶ範囲であり、前記開口の大きさが前記襟部の内側縁全体よりも幅広に確保されたことを特徴とする請求項１に記載の乳幼児用スタイ。
【請求項３】
前記スタイ本体部と前記襟部が一体の生地にて構成されていることを特徴とする請求項１または２に記載の乳幼児用スタイ。
【請求項４】
前記装飾体が擬似ネクタイ部材、疑似蝶ネクタイ部材、疑似チーフ部材、擬似リボン部材、疑似スカーフ部材、疑似レース部材、疑似ネックレス部材のいずれかまたはそれらの組み合わせである請求項１から３のいずれか１項に記載の乳幼児用スタイ。
【請求項５】
前記スタイ本体部の前記連結部材留め具と前記装飾体の前記連結部材が、ボタン留め具とボタンである請求項１から４のいずれか１項に記載の乳幼児用スタイ。
【請求項６】
前記スタイ本体部の前記連結部材留め具と前記装飾体の前記連結部材が、相互に接合可能な面ファスナーである請求項１から４のいずれか１項に記載の乳幼児用スタイ。
【発明の詳細な説明】
【技術分野】
【０００１】
本発明は乳幼児用スタイに関する。特に、いわゆる涎掛けや前掛けとしての機能のみならず、交換可能な形で洋服を想起させる装飾部材などを取り付けてファッション性の高い立体的なデザインの乳幼児用スタイに関する。
【背景技術】
【０００２】
乳幼児はよだれを垂らすことが生理的に多く、装着している服の胸元を汚してしまうことが多い。そのためよだれが服に付くのを防止するため乳幼児用スタイが多用されている。スタイとはいわゆる前掛けやよだれ掛けのことである。
【０００３】
例えば、特開２００１−２３４４０７号公報に開示されたスタイが知られている。これはいわゆる良く見られる従来型のスタイであり、図６に示すように、前掛け本体２に首掛け用の肩紐５と腰巻き用の腰紐６，７を設け、前掛け本体１の縁にバイアス布８を設けたものである。食べこぼれた食べカスを受け止める多数のポケット３をギャザー状に設ける点に工夫が見られる。
【０００４】
また、例えば、特開２００４−２２５１６５号公報に開示されたスタイが知られている。図７に示すように、この乳幼児用スタイは、前身部４および拡張部５と、首掛け部２と、腰巻き用のストラップ８、前身部４の周囲にテープを設けたものである。ファッション用途として襟７を設けた点に工夫が見られる。
【０００５】
【特許文献１】特開２００１−２３４４０７号公報
【特許文献２】特開２００４−２２５１６５号公報
【発明の開示】
【発明が解決しようとする課題】
【０００６】
上記したように、従来型のスタイは、前掛け部の大きさを大きく確保せしめ、よだれや食べカスを受け止めるという機能重視のものが多く、ファッション性の工夫としても、平面的なポケットや平面的な襟を設けるというものに留まっているものであった。そのような平面型デザインの乳幼児用前掛けは、衛生面への配慮から、着脱や洗濯がしやすいなど、機能面を重視した製品であることが多い。そのため、シンプルなデザインのものが多い。
【０００７】
近年、子育て世代の若い夫婦はファッションを重視する傾向が強く、スタイについても着せて可愛いスタイ、格好の良いスタイに対するニーズが大きくなってきている。しかし、市場には、立体的かつデザイン性に富んでいるものの、機能面でも遜色ないというスタイ製品は稀である。従来は乳幼児用のスタイとしてポケットや襟をもたせたものがあったが、やはりそのデザインは乳幼児用のよだれ落下防止という機能重視のスタイの域を超えるものではなかった。
【０００８】
そこで、本発明は、よだれ掛けが必要な乳幼児用スタイではあり得なかった、少し年長の子供が着用するネクタイやリボンと言った装飾体を取り付けることを可能なものとしてデザイン性を高めるとともに、その装飾体を平面的に貼り付けたような構造ではなく立体的な取り付けを可能とし、かつ、その装飾体の取り付けおよび取り外しが容易な構造を持つ乳幼児用スタイを提供することを目的とする。
【課題を解決するための手段】
【０００９】
上記目的を達成するため、本発明は、乳幼児の首から吊り下げるようにして着用される乳幼児用スタイにおいて、スタイ本体部と、前記スタイ本体部から延設された前記乳幼児の首に掛ける２片の首掛け部と、前記スタイ本体部から延設され、前記乳幼児の首付近に位置する箇所を折り返して設けた２片の襟部であって、前記折り返し箇所から前記襟部の外側縁の一部のみをスタイ本体部に縫製し、前記襟部の外側縁の他部および内側縁にかけて縫製せず、当該未縫製部分を開口部とする袋状体とした襟部と、前記襟部の前記袋状体となっている内部に設けた連結部材留め具と、前記連結部材留め具と連結可能な連結部材を備えた装飾体を備えたものであることを特徴とする乳幼児用スタイである。
なお、上記構成において、前記未縫製部分が、前記襟部の内側縁全体および前記襟部の下頂部よりも上側で前記襟部の外側縁の一部にまで及ぶ範囲であり、前記開口部の大きさが前記襟部の内側縁全体よりも幅広に確保されたものとすることが好ましい。
【００１０】
上記構成により、襟部と装飾体とを立体的に組み合わせ、かつ、その装飾体の取り付けおよび取り外しが容易となるよう、襟部の一部を縫製箇所、その他を未縫製箇所として襟部の形状を空洞の袋状に安定化しつつ、開口部を通じて外部からアクセス可能な構造とし、かつ、下方から内部にアクセスしやすいよう、縫製箇所および未縫製箇所を工夫したものである。
【００１１】
ここで、スタイ本体部と襟部が一体の生地にて構成されていることが好ましい。
当該構成により、襟を折り返すのみでいわゆる“袋状体”に簡単に仕上げることができ、かつ、縫製箇所として、折り返し箇所から襟部の外側縁の一部のみをスタイ本体部に縫製することにより、下方から内部にアクセスしやすい構造とすることができる。
【００１２】
なお、装飾体の例としては、擬似ネクタイ部材、疑似チーフ部材、擬似リボン部材などがある。
スタイ本体部の連結部材留め具および装飾体の連結部材の例としては、ボタン留め具とボタンや、相互に接合可能な面ファスナー（いわゆるマジックテープ）などがある。
【発明の効果】
【００１３】
本発明にかかる乳幼児用スタイによれば、擬似ネクタイ部材、擬似リボン部材などの装飾体を平面的に貼り付けたような構造ではなく立体的な取り付けを可能とし、かつ、その装飾体の取り付けおよび取り外しが容易な構造とすることができる。
【図面の簡単な説明】
【００１４】
【図１】本発明の実施例１にかかる乳幼児用スタイ１００を正面からみた状態を簡単に示した図である。
【図２】図１に示した乳幼児用スタイ１００の縁の縫製、連結部材、襟部１３０やポケット部１５０に隠れた構成部分などを透過して示した図である。
【図３】乳幼児用スタイ１００の製作途中の状態を簡単に示した図である。
【図４】襟部１３０付近の縫製を示す図である。
【図５】装飾体である疑似ネクタイ１４０、疑似チーフ１６０を取り付ける様子を説明する図である。
【図６】特開２００１−２３４４０７号公報に開示された従来技術の乳幼児用スタイを示す図である。
【図７】特開２００４−２２５１６５号公報に開示された従来技術の乳幼児用スタイを示す図である。
【発明を実施するための最良の形態】
【００１５】
本発明の乳幼児用スタイの実施例に基づいて詳細に説明する。なお、本発明はこれらの実施例に限定されるものではない。
【実施例１】
【００１６】
図１および図２は、本発明の実施例１にかかる乳幼児用スタイ１００の構成例を簡単に示した図である。なお、この例は、一例として男の子用の乳幼児用スタイ１００であるが、デザインを女の子向けにした女の子用の乳幼児用スタイ１００も可能であることは言うまでもない。
図１は正面からみた乳幼児用スタイ１００を簡単に示した図である。図２は、縁の縫製、連結部材、襟部１３０やポケット部１５０内部に隠れた構成部分などを透過して示した図である。なお、裏面側の縫製など一部については図示を省略している。
【００１７】
実施例１にかかる乳幼児用スタイ１００は、図１および図２に示すように、スタイ本体部１１０、首掛け部１２０、襟部１３０、疑似ネクタイ（装飾体）１４０、ポケット部（装飾体）１５０、疑似チーフ（装飾体）１６０を備えたものとなっている。
各部材について本発明を理解する上で必要な範囲で示しており、機械的な部分などは簡単に図示しているかまたは図示自体を省略している部分もある。
この構成例では、乳幼児用スタイ１００は乳幼児の首から吊り下げるようにして着用されるものとなっている。
【００１８】
各構成要素を簡単に説明する。
スタイ本体部１１０は、着用後に乳幼児の胸や腹を覆う布である。素材は特に限定されないが、乳幼児に触れても問題のないタオル生地や綿生地などで良い。抗菌処理を施しておくことも好ましい。
模様や図柄などをデザインに応じて設けることは好ましい。この図では特段、模様や図柄などの表示を省略しているが、ストライプ柄、ボーダー柄、チェック柄などの柄ものも可能であり、ブルー、ピンクなど色柄でもよい。他でも着用していて可愛いデザイン、ファッション性に富んだデザインが利用可能であることは言うまでもない。ここでは、仮にブルーの色柄であるとする。
【００１９】
スタイ本体部１１０は、後述するように、首掛け部１２０および襟部１３０と一体であり、一枚の生地より一体的に型抜きして製作することができる。ここでは、スタイ本体部１１０、首掛け部１２０および襟部１３０を一枚の生地より一体的に型抜きして縁を縫製することにより製作した例として説明する。
【００２０】
首掛け部１２０は、スタイ本体部１１０から延設された２片の生地であり、乳幼児の首に掛けて吊り下げるための部材である。スナップボタンや面ファスナー等の周知の連結手段を利用して互いに着脱可能である（図５参照）。この例では首掛け部１２０の両者の接続箇所付近にプラスチック製のスナップボタン１２１、１２２が取り付けられている例となっている（図２および図５を参照）。首掛け部１２０の素材自体はスタイ本体部１１０と同様で良く、タオル生地や綿生地などで良い。
【００２１】
襟部１３０は、スタイ本体部１１０の乳幼児の首付近に位置する箇所を折り返して設けた２片の部材であり、襟を構成する部分である。襟部１３０の素材自体もスタイ本体部１１０と同様で良く、タオル生地や織物生地などで良い。
襟部１３０は生地としては、スタイ本体部１１０の裏面側の生地が表面側に折り返されて表面に見える。生地の柄はスタイ本体部１１０の表面側の柄と同様としても良いが、襟部１３０をスタイ本体部１１０の表面側と異なった柄で構成すれば、コントラストで襟部１３０が映えて立体的に見えるため、ここでは異なった柄とする。ここでは、上記したように、スタイ本体部１１０の表面をブルーとしたので、襟部１３０はホワイトのタオル地とする。
ここでは、襟部１３０の縫製において特徴があるが、それは後述する。
【００２２】
各部材の説明を続ける。
疑似ネクタイ（装飾体）１４０は、装飾体の一つであり、ネクタイを疑似的にかたどったものである。本物のネクタイは長い一片の帯状体であり、それを首の周りに巻き付けて締め、いわゆる大剣を前に垂下しつつ、裏面の小剣通しに小剣を入れて装着するものであるが、本発明品は赤ちゃんが使用するものであるため、危なくない構造とすることを考慮し、この疑似ネクタイは首の周りに回して締めるものとはせずに、結び目を模した結び目部１４４といわゆる大剣を模した大剣部１４５から構成され、さらに、スタイ本体部１１０に連結するための連結片１４３、連結片１４３の裏に設けた連結部材であるスナップボタン１４１を備えた構成となっている。
【００２３】
なお、疑似ネクタイ１４０において、さらに立体感を増すために、いわゆる大剣部１４５の裏側に小剣部（図示せず）を設け、結び目部１４４はそれら大剣部１４５と小剣部を周回するように構成することが好ましい。
疑似ネクタイ１４０に立体感が増せば、乳幼児用スタイ１００全体の立体感も増すこととなる。
【００２４】
疑似ネクタイ１４０の色柄や模様は限定されず、可愛いデザイン、ファッション性に富んだデザインが利用可能であることは言うまでもない。ここでは、仮にチェック柄であるとする。
なお、疑似ネクタイ１４０の素材であるが、特に限定されず、スタイ本体部１１０の素材と同様でも良いが、ここでは、疑似ネクタイ１４０を立体的に目立たせるため、スタイ本体部１１０とは色相、質感を変える工夫もある。
【００２５】
後述するように、スタイ本体部１１０の襟部１３０の裏に位置する付近に、連結部材としての疑似ネクタイ１４０のスナップボタン１４１と、連結部材留め具として連結可能なスナップボタン留め具１４２が設けられている（図３参照）。この疑似ネクタイ１４０側のスナップボタン１４１とスタイ本体部１１０側のスナップボタン留め具１４２が連結することで疑似ネクタイ１４０が装着される。
なお、この例では装飾体が疑似ネクタイ１４０の例であるが、装飾体は上記例に限らず、疑似蝶ネクタイ等であっても良い。
【００２６】
ポケット部（装飾体）１５０は、疑似チーフ１６０を挿入して取り付ける装飾体の一つである。通常のポケットと同様、周囲の縁は縫製されて上面に開口が設けられて袋状体となっており、上面開口から内部へ疑似チーフ１６０を挿入できるものとなっている。このように、上面開口を持つポケット部１５０は立体感がある上、本当に疑似チーフ１６０を装着するため、膨らみが出てさらに立体感が増す。
【００２７】
ポケット部１５０の柄や模様は特に限定されないが、ポケット部１５０をスタイ本体部１１０の表面側と異なった柄で構成すれば、コントラストでポケット部１５０が映えて立体的に見えるため、ここでは異なった柄とする。例えば、スタイ本体部１１０がストライプ柄（縦ライン）であれば、ポケット部をボーダー柄（横ライン）とするなどの工夫がある。
【００２８】
ポケット部１５０の素材は、特に限定されないが、一般に男性用シャツなどでは胸ポケットは本体のシャツと同じ素材であることが多いので、ここではスタイ本体部１１０と同様のタオル地とする。
ポケット部１５０の裏面側には、疑似チーフ１６０を取り付けるための連結部材留め具であるスナップボタン留め具１６２が設けられている。
【００２９】
疑似チーフ（装飾体）１６０は、チーフを模したものであり、下方部分をポケット部１５０に挿入して装着し、上方部分をポケット部１５０の上面開口から出し、あたかもポケット部１５０にチーフを入れているような視覚効果を出すものである。
疑似チーフ１６０の表面には連結部材となるスナップボタン１６１が設けられている。この構成例ではスナップボタン１６１は疑似チーフ１６０の中央付近に設けられている（図５参照）。
【００３０】
この疑似チーフ１６０の表面のスナップボタン１６１とポケット部１５０の裏面にあるスナップボタン留め具１６２が連結することにより、疑似チーフ１６０の下方部分がポケット部１５０内部に入り込み、上方部分が突出した状態で装着することができる。
以上が実施例１の乳幼児用スタイ１００の各構成要素の簡単な説明である。
【００３１】
次に、襟部１３０の縫製の工夫について述べる。
図３は、乳幼児用スタイ１００の製作途中の状態を簡単に示した図である。
図３に示すように、スタイ本体部１１０、首掛け部１２０、襟部１３０は一枚の生地より一体的に型抜きして製作することができる。図３に示した外形に沿って一枚の生地から型抜きしたものを表裏２枚併せ、下縁を除いてその縁を縫製して袋状にした後、袋の内面側を外面に来るようにひっくり返し、その後下縁を縫製して図３の状態を得る。なお、スナップボタン１２１、スナップボタン留め具１２２、左右のスナップボタン留め具１４２は取り付けておく。
図３の状態ではまだ襟部１３０は立った状態である。ここで、襟部１３０を下方に折り曲げて姿勢を整える。
【００３２】
図４は、襟部１３０付近の縫製を示す図である。
図４に示すように、襟部１３０において、折り返し箇所から襟部１３０の外側縁の一部１３１のみをスタイ本体部１１０に対して縫製し、襟部１３０の外側縁の残りの部分と内側縁にかけた領域１３２は縫製しないものとする。ここでは、襟部１３０の外側縁の一部１３１のみをスタイ本体部１１０に対して縫製することを“折り返し一部縫製”と呼ぶ。このように、襟部１３０の折り返した外側縁の一部のみを縫製する折り返し一部縫製１３１を施すことで、未縫製部分１３２を開口部とする袋状体となる。
【００３３】
なお、未縫製部分１３２の範囲であるが、襟部１３０の内側縁全体から襟部１３０の下頂部、さらに襟部１３０の外側縁の一部にまで及ぶ範囲とすることができる。襟部１３０の外側縁の一部まで未縫製部分としておけば、襟部１３０の姿勢は安定するとともに、開口部の大きさが襟部の内側縁全体よりも幅広に確保することができる。
【００３４】
図４（ｂ）は、襟部１３０が袋状体であり、未縫製部分の開口が広く確保されている様子を模式的に示す図である。図４（ｂ）は１つの襟部１３０のみを強調して取り出して図示したものとなっているが、襟部１３０はコーン状の袋状体となっており、図中右側は下端まで縫製されていないので簡単に捲り上げることができ、開口を拡げられることを示している。襟部１３０の内部にはスナップボタン留め具１４２があり、アクセス容易となっていることが理解されよう。
【００３５】
このように、折り返し一部縫製技術を用いれば、襟部１３０が袋状体となって襟部分の立体感が全体として増すとともに、一部が縫製されているので乳幼児が乳幼児用スタイ１００を使用中に襟部１３０全体が捲れ上がってしまうなどの不具合が発生しにくいという効果も得られる。
【００３６】
図４の状態に引き続き、ポケット部１５０を縫製して取り付ければ、装飾体を除く部分の製作が完了する。
【００３７】
図５は、装飾体である疑似ネクタイ１４０、疑似チーフ１６０を取り付ける様子を簡単に説明する図である。
図５に示すように、装飾体である疑似ネクタイ１４０は下方から連結片１４３を襟部１３０の内部に挿入し、スナップボタン１４１を襟部１３０内側のスナップボタン留め具１４２と連結させることにより装着できる。この際、図４等で示したように、襟部１３０は袋状体であるものの下方の開口は広く確保されているので、スナップボタン留め具１４２へのアクセスは容易であり、装着が簡単である。
また、疑似チーフ１６０も、ポケット部１５０の上面開口から比較的容易に装着することができる。
【００３８】
必要な装飾体を取り付ければ乳幼児用スタイ１００の製作が完成する。
なお、乳幼児用スタイ１００を乳幼児に装着することも簡単である。図５に示すように、２片の首掛け部１２０を乳幼児の首に回し、首の後ろにおいて２片の首掛け部１２０をクロスさせて、スナップボタン１２１とスナップボタン留め具１２２を連結させて取り付ければ良い。これで図１の状態（乳幼児は図示せず）が得られる。
【００３９】
以上説明した実施例は、男の子向けのデザインであったが、女の子向けのデザインも可能であり、装飾体として、例えば疑似ネクタイの変わりに擬似リボン、疑似スカーフ、疑似レース、疑似ネックレスなどを用いることができる。
また、以上説明した実施例では、連結部材および連結部材留め具の例として、スナップボタンとスナップボタン留め具を挙げたが、連結部材として相互に接合可能な面ファスナー（いわゆるマジックテープ）とすることも可能である。
【００４０】
以上、本発明の乳幼児用スタイの構成例における好ましい実施形態を図示して説明してきたが、本発明の技術的範囲を逸脱することなく種々の変更が可能であることは理解されるであろう。
【産業上の利用可能性】
【００４１】
本発明の乳幼児用スタイは、乳幼児用向けのスタイとして広く適用することができる。
【符号の説明】
【００４２】
１００  乳幼児用スタイ
１１０  スタイ本体部
１２０  首掛け部
１２１  スナップボタン
１２２  スナップボタン留め具
１３０  襟部
１３１  折り返し一部縫製線
１３２  未縫製領域
１４０  疑似ネクタイ
１４１  スナップボタン
１４２  スナップボタン留め具
１５０  ポケット部
１６０  疑似チーフ
１６１  スナップボタン
１６２  スナップボタン留め具
【図１】
2017020137.tif 000003
【図２】
2017020137.tif 000004
【図３】
2017020137.tif 000005
【図４】
2017020137.tif 000006
【図５】
2017020137.tif 000007
【図６】
2017020137.tif 000008
【図７】
2017020137.tif 000009